【手続補正書】
【提出日】平成16年10月19日(2004.10.19)
【手続補正１】
【補正対象書類名】明細書
【補正対象項目名】特許請求の範囲
【補正方法】変更
【補正の内容】
【特許請求の範囲】
【請求項１】
所定の通信回線を介して接続された端末装置から送信された情報に基づいてサンプル印刷を行わせるサーバ装置であって、
前記所定の通信回線を介して前記端末装置から送信された、前記サンプル印刷を行わせるべき画像形成装置を指定する指定情報を受信したときに、前記端末装置に、サンプル印刷の設定に関する設定情報と、前記端末装置を利用するユーザの送付先を含む個人情報とを要求する情報要求手段と、
前記端末装置から前記要求に応じて送信された前記設定情報と前記個人情報とを記憶する記憶手段と、
前記設定情報を前記指定情報で指定された画像形成装置に送信する送信手段と、を備えており、
前記送付先は、前記設定情報に基づいて前記画像形成装置で印刷された印刷物の送付先であることを特徴とするサーバ装置。
【請求項２】
所定の通信回線を介して接続されたサーバ装置に対してサンプル印刷に関する情報を送信する情報処理装置であって、
ユーザがデータを入力するための入力手段と、
前記サーバから送信された情報及び前記入力手段によって入力された情報を表示する表示手段と、
前記サーバ装置から送信され前記表示手段に表示された情報に基づいて、前記入力手段によって入力された、前記サンプル印刷を行わせるべき画像形成装置を指定する指定情報と、前記情報処理装置のユーザの送付先を含む個人情報と、サンプル印刷の設定に関する設定情報と、を前記サーバ装置に送信する送信手段と、を備えており、
前記送付先は、前記設定情報に基づいて前記画像形成装置で印刷された印刷物の送付先であることを特徴とする情報処理装置。
【請求項３】
端末装置と、前記端末装置と所定の通信回線を介して接続されたサーバ装置と、前記サーバ装置と接続された複数の画像形成装置とを含む画像形成システムであって、
前記端末装置が、
ユーザがデータを入力するための入力手段と、
前記サーバから送信された情報及び前記入力手段によって入力された情報を表示する表示手段と、
前記サーバ装置から送信され前記表示手段に表示された情報に基づいて、前記入力手段によって入力された情報を前記サーバ装置に送信する送信手段と、を備えており、
前記サーバ装置が、
前記端末装置に、前記サンプル印刷を行わせるべき画像形成装置を指定する指定情報を入力させるための画面を表示させる情報と、サンプル印刷の設定に関する設定情報を入力させるための画面を表示させる情報と、前記端末装置を利用するユーザの送付先を含む個人情報とを入力させるための画面を表示させる情報とを送信する第１送信手段と、
前記端末装置から前記指定情報、前記設定情報、及び前記個人情報を受信したときに、前記設定情報を前記指定情報で指定された画像形成装置に送信する第２送信手段と、
前記設定情報、及び前記個人情報を記憶する記憶手段と、を備えており、
前記送付先は、前記設定情報に基づいて前記画像形成装置で印刷された印刷物の送付先であることを特徴とする画像形成システム。
【請求項４】
所定の通信回線を介して接続された端末装置から送信された情報に基づいてサンプル印刷を行わせるサンプル印刷方法であって、
前記所定の通信回線を介して前記端末装置から送信された、前記サンプル印刷を行わせるべき画像形成装置を指定する指定情報を受信したときに、前記端末装置に、サンプル印刷の設定に関する設定情報と、前記端末装置を利用するユーザの送付先を含む個人情報と要求する情報要求工程と、
前記要求に応じて前記端末装置から送信された前期設定情報と前記個人情報とを記憶手段に記憶する記憶工程と、
前記設定情報を指定された画像形成装置に送信する送信工程と、
前記設定情報に基づいて前記画像形成装置で印刷された印刷物を前記送付先に送付する送付工程とを備えることを特徴とするサンプル印刷方法。
【請求項５】
複数の画像形成装置と接続する工程を更に備え、前記指定情報は、前記ユーザの選択に対応していることを特徴とする請求項４に記載のサンプル印刷方法。
【請求項６】
前記複数の画像形成装置は、それぞれ機種が異なることを特徴とする請求項５に記載のサンプル印刷方法。
【請求項７】
前記複数の画像形成装置それぞれの仕様に関する情報を前記記憶手段に記憶する工程と、前記端末装置からの要求に応じて前記仕様に関する情報を前記端末装置に送信する工程を更に備えていることを特徴とする請求項５又は６に記載のサンプル印刷方法。
【請求項８】
前記指定情報が複数の画像形成装置を指定するものであるとき、前記送信工程で、前記設定情報を指定された複数の画像形成装置に送信することを特徴とする請求項５から７のいずれか１項に記載のサンプル印刷方法。
【請求項９】
前記記憶手段に印刷用の画像データを記憶させる工程を更に備え、前記送信工程で、前記設定情報と前記画像データとを前記画像形成装置に送信することを特徴とする請求項４から８のいずれか１項に記載のサンプル印刷方法。
【請求項１０】
前記送信工程で、前記設定情報と前記端末装置から送信された印刷用の画像データとを前記画像形成装置に送信することを特徴とする請求項４から８のいずれか１項に記載のサンプル印刷方法。
【請求項１１】
前記送信工程が、前記印刷物に該印刷に関する時間情報が付加されるように前記画像形成装置に指示する工程を含むことを特徴とする請求項４から１０のいずれか１項に記載のサンプル印刷方法。
【請求項１２】
前記送信工程が、前記送付先の情報を宛先印刷用の画像形成装置に送信する工程を含むことを特徴とする請求項４から１１のいずれか１項に記載のサンプル印刷方法。
【請求項１３】
前記所定の通信回線がインターネットであることを特徴とする請求項４から１２のいずれか１項に記載のサンプル印刷方法。
【請求項１４】
所定の通信回線を介して接続されたサーバ装置に対してサンプル印刷に関する情報を送信するサンプル情報送信方法であって、
前記サーバ装置から送信された情報に基づいて入力された、前記サンプル印刷を行わせるべき画像形成装置を指定する指定情報と、ユーザの送付先を含む個人情報と、サンプル印刷の設定に関する設定情報と、を前記サーバ装置に送信する送信工程と、を備えており、
前記設定情報に基づいて前記画像形成装置で印刷された印刷物が前記送付先に送付されることを特徴とするサンプル情報送信方法。
【請求項１５】
前記指定情報は、前記サーバ装置から送信された複数の画像形成装置の情報からの前記ユーザの選択に対応していることを特徴とする請求項１４に記載のサンプル情報送信方法。
【請求項１６】
前記送信工程が、印刷用の画像データを前記サーバ装置に送信する工程を含むことを特徴とする請求項１４又は１５に記載のサンプル情報送信方法。
【請求項１７】
表示手段と入力手段とを有する端末装置と、前記端末装置と所定の通信回線を介して接続されたサーバ装置と、前記サーバ装置と接続された複数の画像形成装置とを含む画像形成システムにおけるサンプル印刷方法であって、
前記表示手段に、前記サンプル印刷を行わせるべき画像形成装置を指定する指定情報を入力させるための画面を表示させる第１表示工程と、
前記入力手段から入力された指定情報を前記サーバ装置に送信する第１送信工程と、
前記表示手段に、サンプル印刷の設定に関する設定情報を入力させるための画面を表示させる第２表示工程と、
前記入力手段から入力された設定情報を前記サーバ装置に送信する第２送信工程と、
前記表示手段に、前記端末装置を利用するユーザの送付先を含む個人情報とを入力させるための画面を表示させる第３表示工程と、
前記入力手段から入力された個人情報を前記サーバ装置に送信する第３送信工程と、
前記設定情報、及び前記個人情報を記憶手段に記憶する記憶工程と、
前記設定情報を前記指定情報で指定された画像形成装置に送信する第４送信工程と、
前記設定情報に基づいて前記画像形成装置で印刷された印刷物を前記送付先に送付する送付工程とを備えることを特徴とするサンプル印刷方法。
【請求項１８】
前記複数の画像形成装置は、それぞれ機種が異なることを特徴とする請求項１７に記載のサンプル印刷方法。
【請求項１９】
前記複数の画像形成装置それぞれの仕様に関する情報を前記記憶手段に記憶させる工程と、前記端末装置からの要求に応じて前記仕様に関する情報を前記端末装置に送信する工程とを更に備えることを特徴とする請求項１７又は１８に記載のサンプル印刷方法。
【請求項２０】
前記指定情報が複数の画像形成装置を指定するものであるとき、前記第２送信工程で、前記設定情報を指定された複数の画像形成装置に送信することを特徴とする請求項１７から１９のいずれか１項に記載のサンプル印刷方法。
【請求項２１】
前記記憶手段に印刷用の画像データを記憶させる工程を更に備え、前記第２送信工程で、前記設定情報と前記画像データとを前記画像形成装置に送信することを特徴とする請求項１７から２０のいずれか１項に記載のサンプル印刷方法。
【請求項２２】
前記端末装置から前記サーバに印刷用の画像データを送信する工程を更に備え、前記第２送信工程で、前記設定情報と前記画像データとを前記画像形成装置に送信することを特徴とする請求項１７から２０のいずれか１項に記載のサンプル印刷方法。
【請求項２３】
前記第２送信手段が、前記印刷物に該印刷に関する時間情報が付加されるように前記画像形成装置に指示する工程を含むことを特徴とする請求項１７から２２のいずれか１項に記載のサンプル印刷方法。
【請求項２４】
前記画像形成システムが前記送付先の情報を印刷する宛先印刷用の画像形成装置を更に含み、前記第２送信手段が、前記送付先の情報を前記宛先印刷用の画像形成装置に送信する工程を含むことを特徴とする請求項１７から２３のいずれか１項に記載のサンプル印刷方法。
【請求項２５】
前記所定の通信回線がインターネットであることを特徴とする請求項１７から２４のいずれか１項に記載のサンプル印刷方法。
【請求項２６】
所定の通信回線を介して接続された端末装置から送信された情報に基づいてサンプル印刷を行わせるサンプル印刷方法を実行するコンピュータプログラムであって、
前記所定の通信回線を介して前記端末装置から送信された、前記サンプル印刷を行わせるべき画像形成装置を指定する指定情報を受信したときに、前記端末装置に、サンプル印刷の設定に関する設定情報と、前記端末装置を利用するユーザの送付先を含む個人情報とを要求する情報要求工程と、
前記要求に応じて前記端末装置から送信された前記設定情報と前記個人情報とを記憶手段に記憶する記憶工程と、
前記設定情報を指定された画像形成装置に送信する送信工程と、に対応するプログラムコードを備えており、
前記設定情報に基づいて前記画像形成装置で印刷された印刷物が前記送付先に送付されることを特徴とするコンピュータプログラム。
【請求項２７】
所定の通信回線を介して接続されたサーバ装置に対してサンプル印刷に関する情報を送信するサンプル情報送信方法を実現するコンピュータプログラムであって、
前記サーバ装置から送信された情報に基づいて入力された、前記サンプル印刷を行わせるべき画像形成装置を指定する指定情報と、ユーザの送付先を含む個人情報と、サンプル印刷の設定に関する設定情報と、を前記サーバ装置に送信する送信工程と、に対応するプログラムコードを備えており、
前記設定情報に基づいて前記画像形成装置で印刷された印刷物が前記送付先に送付されることを特徴とするコンピュータプログラム。
【請求項２８】
表示手段と入力手段とを有する端末装置と、前記端末装置と所定の通信回線を介して接続されたサーバ装置と、前記サーバ装置と接続された複数の画像形成装置とを含む画像形成システムにおけるサンプル印刷方法を実現するコンピュータプログラムであって、
前記表示手段に、前記サンプル印刷を行わせるべき画像形成装置を指定する指定情報を入力させるための画面を表示させる第１表示工程と、
前記入力手段から入力された指定情報を前記サーバ装置に送信する第１送信工程と、
前記表示手段に、サンプル印刷の設定に関する設定情報を入力させるための画面を表示させる第２表示工程と、
前記入力手段から入力された設定情報を前記サーバ装置に送信する第２送信工程と、
前記表示手段に、前記端末装置を利用するユーザの送付先を含む個人情報とを入力させるための画面を表示させる第３表示工程と、
前記入力手段から入力された個人情報を前記サーバ装置に送信する第３送信工程と、
前記設定情報、及び前記個人情報を記憶手段に記憶する記憶工程と、
前記設定情報を前記指定情報で指定された画像形成装置に送信する第４送信工程と、に対応したプログラムコードを備えており、
前記設定情報に基づいて前記画像形成装置で印刷された印刷物が前記送付先に送付されることを特徴とするコンピュータプログラム。